【手続補正書】
【提出日】平成21年10月15日(2009.10.15)
【手続補正１】
【補正対象書類名】特許請求の範囲
【補正対象項目名】全文
【補正方法】変更
【補正の内容】
【特許請求の範囲】
【請求項１】
通信システムにおける基地局がダウンリンク（ＤＬ）資源割当情報を送信する方法であって、
前記基地局により支援されるハイブリッド自動反復要求（ＨＡＲＱ）モードの一つに対応するデータ領域の少なくとも一のサブバーストのダウンリンク資源割当情報を示すサブバースト情報エレメント（ＩＥ）を生成し、
前記サブバーストＩＥの長さ情報を生成し、
一又は二以上の移動端末にＨＡＲＱ  ＤＬ  ＭＡＰメッセージを送信し、
前記ＨＡＲＱ  ＤＬ  ＭＡＰメッセージは、前記データ領域を定義し、前記サブバーストＩＥ及び前記長さ情報を含む
ことを特徴とする方法。
【請求項２】
前記サブバーストＩＥは、各データ領域における一又は二以上のＨＡＲＱ ＡＣＫイネーブルドＤＬバーストを受信する一又は二以上の移動端末に割り当てられたＡＣＫチャネルの個数を示すＡＣＫチャネルパラメータを含むことを特徴とする請求項１に記載の方法。
【請求項３】
前記基地局によって支援されるＨＡＲＱモードは、ＨＡＲＱチェースモード、ＨＡＲＱインクリメンタルリダンダンシー（ＩＲ）モード、ＨＡＲＱ ＩＲ畳込みターボ符号化（ＣＴＣ）モード、ＨＡＲＱ ＩＲチェースコンバイニング（ＣＣ）モード、多入力多出力（ＭＩＭＯ）ＨＡＲＱチェースモード、ＭＩＭＯ ＨＡＲＱ ＩＲ ＣＣモード、及びＭＩＭＯ ＨＡＲＱ時空間符号化（ＳＴＣ）モードのうちの少なくとも２つを含むことを特徴とする請求項２に記載の方法。
【請求項４】
通信システムにおける移動端末がダウンリンク（ＤＬ）資源割当情報を受信する方法であって、
一又は二以上のデータ領域を定義し、サブバースト情報エレメント（ＩＥ）及び該サブバーストＩＥの長さ情報を含むハイブリッド自動反復要求（ＨＡＲＱ）  ＤＬ  ＭＡＰメッセージを基地局から受信し、該サブバーストＩＥは、基地局により支援されるハイブリッド自動反復要求（ＨＡＲＱ）モードの一つに対応するデータ領域の少なくとも一のサブバーストのダウンリンク資源割当を示し、
前記移動端末が前記ＨＡＲＱモードを支援しない場合には、前記長さ情報に基づく前記サブバーストＩＥをデコーディングせずにスキップする
ことを特徴とする方法。
【請求項５】
前記サブバーストＩＥは、各データ領域における一又は二以上のＨＡＲＱ ＡＣＫイネーブルドＤＬバーストを受信する一又は二以上の移動端末に割り当てられたＡＣＫチャネルの個数を示すＡＣＫチャネルパラメータを含むことを特徴とする請求項４に記載の方法。
【請求項６】
前記スキップするステップは、
前記サブバーストＩＥから前記ＡＣＫチャネルパラメータを検出、１又は２以上のＨＡＲＱ ＡＣＫイネーブルドＤＬバーストのために使用されたＡＣＫチャネルを判定し、
前記ＡＣＫチャネルパラメータの値と以前のＡＣＫチャネルパラメータの値とを加算し、
該加算の結果を累積的に記憶し、
前記サブバーストＩＥの中から前記長さパラメータに対応する情報をデコーディングせずにスキップすることを特徴とする請求項５に記載の方法。
【請求項７】
さらに、前記移動端末が前記ＨＡＲＱモードを支援する場合には、該移動端末により支援されるＨＡＲＱモードに対応する前記サブバーストＩＥをデコーディングし、
前記移動端末が受信するＨＡＲＱ ＡＣＫイネーブルドＤＬバーストが存在する場合には、前記累積的に記憶された値と、前記ＨＡＲＱモードで前記移動端末に割り当てられたＨＡＲＱ ＡＣＫイネーブルドＤＬバーストの順序と、を加算し、該加算の結果に基づいて、前記移動端末に割り当てられたＡＣＫチャネルの位置を検出することを特徴とする請求項６に記載の方法。
【請求項８】
前記基地局によって支援されるＨＡＲＱモードは、ＨＡＲＱチェースモード、ＨＡＲＱインクリメンタルリダンダンシー（ＩＲ）モード、ＨＡＲＱ ＩＲ畳込みターボ符号化（ＣＴＣ）モード、ＨＡＲＱ ＩＲチェースコンバイニング（ＣＣ）モード、多入力多出力（ＭＩＭＯ）ＨＡＲＱチェースモード、ＭＩＭＯ ＨＡＲＱ ＩＲ ＣＣモード、及びＭＩＭＯ ＨＡＲＱ時空間符号化（ＳＴＣ）モードのうちの少なくとも２つを含むことを特徴とする請求項５に記載の方法。
【請求項９】
通信システムにおけるダウンリンク（ＤＬ）資源割当情報を送受信するシステムであって、
基地局により支援されるハイブリッド自動反復要求（ＨＡＲＱ）モードの一つに対応するデータ領域の少なくとも一のサブバーストのダウンリンク資源割当を含むサブバースト情報エレメント（ＩＥ）を生成し、前記サブバーストＩＥの長さ情報を生成し、一又は二以上のデータ領域を定義し前記サブバーストＩＥ及び前記長さ情報を含むＨＡＲＱ  ＤＬ  ＭＡＰメッセージを送信する基地局と、
前記ＨＡＲＱ  ＤＬ  ＭＡＰメッセージを受信する移動端末と、
を含むことを特徴とするシステム。
【請求項１０】
前記移動端末は、該移動端末が前記ＨＡＲＱモードを支援しない場合には、前記長さ情報に基づく前記サブバーストＩＥの少なくとも一部をデコーディングせずにスキップすることを特徴とする請求項９に記載のシステム。
【請求項１１】
前記サブバーストＩＥは、各データ領域における一又は二以上のＨＡＲＱ ＡＣＫイネーブルドＤＬバーストを受信する一又は二以上の移動端末に割り当てられたＡＣＫチャネルの個数を示すＡＣＫチャネルパラメータを含むことを特徴とする請求項１０に記載のシステム。
【請求項１２】
前記基地局によって支援されるＨＡＲＱモードは、ＨＡＲＱチェースモード、ＨＡＲＱインクリメンタルリダンダンシー（ＩＲ）モード、ＨＡＲＱ ＩＲ畳込みターボ符号化（ＣＴＣ）モード、ＨＡＲＱ ＩＲチェースコンバイニング（ＣＣ）モード、多入力多出力（ＭＩＭＯ）ＨＡＲＱチェースモード、ＭＩＭＯ ＨＡＲＱ ＩＲ ＣＣモード、及びＭＩＭＯ ＨＡＲＱ時空間符号化（ＳＴＣ）モードのうちの少なくとも２つを含むことを特徴とする請求項１１に記載のシステム。
【請求項１３】
前記移動端末は、前記サブバーストＩＥから前記ＡＣＫチャネルパラメータを検出し、１又は２以上のＨＡＲＱ ＡＣＫイネーブルドＤＬバーストのために使用されたＡＣＫチャネルを判定し、前記ＡＣＫチャネルパラメータの値と以前のＡＣＫチャネルパラメータの値とを加算し、該加算の結果を累積的に記憶し、前記サブバーストＩＥの中から前記長さパラメータに対応する情報をデコーディングせずにスキップすることを特徴とする請求項１１に記載のシステム。
【請求項１４】
前記移動端末は、該移動端末が前記ＨＡＲＱモードを支援する場合には、該移動端末により支援されるＨＡＲＱモードに対応する前記サブバーストＩＥをデコーディングし、
前記移動端末が受信するＨＡＲＱ ＡＣＫイネーブルドＤＬバーストが存在する場合には、前記累積的に記憶された値と、前記ＨＡＲＱモードで前記移動端末に割り当てられたＨＡＲＱ ＡＣＫイネーブルドＤＬバーストの順序と、を加算し、該加算の結果に基づいて、前記移動端末に割り当てられたＡＣＫチャネルの位置を検出することを特徴とする請求項１３に記載のシステム。
【請求項１５】
通信システムにおけるアップリンク（ＵＬ）資源割当情報を送受信するシステムであって、
基地局により支援されるハイブリッド自動反復要求（ＨＡＲＱ）モードの一つに対応するデータ領域の少なくとも一のサブバーストのアップリンク資源割当情報を示す少なくとも一のサブバースト情報エレメント（ＩＥ）を生成し、前記少なくとも一のサブバーストＩＥの総サイズを示す長さ情報と、前記データ領域における少なくとも一のサブバーストＩＥの期間（duration）を示すデュレーション情報とを生成し、一又は二以上のデータ領域を定義し、少なくとも一のサブバーストＩＥ、前記長さ情報、及び前記デュレーション情報を含むＨＡＲＱ ＵＬ ＭＡＰメッセージを送信する前記基地局と、
前記ＨＡＲＱ ＵＬ ＭＡＰメッセージを受信する移動端末と、
を含むことを特徴とするシステム。
【請求項１６】
前記移動端末は、該移動端末が前記ＨＡＲＱモードを支援しない場合には、前記長さ情報をデコーディングせずにスキップすることを特徴とする請求項１５に記載のシステム。
【手続補正２】
【補正対象書類名】明細書
【補正対象項目名】００４４
【補正方法】変更
【補正の内容】
【００４４】
上記のような目的を達成するために、本発明の一の側面によれば、通信システムにおけるダウンリンク（ＤＬ）資源割当情報を送受信するシステムが提供される。かかるシステムにおいて、基地局は、該基地局により支援されるハイブリッド自動反復要求（ＨＡＲＱ）モードの一つに対応するデータ領域の少なくとも一のサブバーストのダウンリンク資源割当を含むサブバースト情報エレメント（ＩＥ）を生成し、かかるサブバーストＩＥの長さ情報を生成し、一又は二以上のデータ領域を定義し前記サブバーストＩＥ及び前記長さ情報を含むＨＡＲＱ  ＤＬ  ＭＡＰメッセージを送信する。移動端末は、かかるＨＡＲＱ  ＤＬ  ＭＡＰメッセージを基地局から受信し、該移動端末が前記ＨＡＲＱモードを支援しない場合には、長さ情報に基づく前記サブバーストＩＥの少なくとも一部をデコーディングせずにスキップする。